(57)【特許請求の範囲】
【請求項１】
対向して平行に配置された一対の第１壁と、この第１壁と直交しかつ対向して平行に配置された一対の第２壁とによって方形状に囲まれた部屋の天井構造であって、
前記一対の第１壁および一方の第２壁には、これらに沿って水平に受材が固定されており、
他方の前記第２壁には、補助材が前記受材と同一の水平レベルとなるように固定されており、
前記一対の第１壁間には、天井材が第２壁間において複数連接された状態で配置されており、
前記連接された複数の天井材の縁部は前記受材に係合されており、
互いに隣接する天井材間には繋ぎ材が配置されるとともに、この繋ぎ材には前記隣接する天井材の縁部がそれぞれ係合されており、前記繋ぎ材の両端部は、前記一対の第１壁に固定された受材に支持されており、
他方の第２壁と、該第２壁側に位置する天井材の縁部との隙間には、この天井材の配置後に調整材が該第２壁と天井材の縁部との双方に当接した状態で前記補助材に固定されて設けられていることを特徴とする天井構造。
【請求項２】
請求項１記載の天井構造において、
前記受材と天井材との係合部には、天井材を水平方向において調整移動できるような隙間が設けられていることを特徴とする天井構造。
【請求項３】
請求項１または２記載の天井構造において、
前記各天井材の下面には予め仕上加工が施されていることを特徴とする天井構造。
【請求項４】
請求項１から３いずれかに記載の天井構造において、
前記天井材の縁部における該天井材の下面は、前記受材および前記調整材の下面より下方に位置していることを特徴とする天井構造。
【請求項５】
対向して平行に配置された一対の第１壁と、この第１壁と直交しかつ対向して平行に配置された一対の第２壁とによって方形状に囲まれた部屋の天井を施工する天井施工方法であって、
前記一対の第１壁および一方の第２壁に、これらに沿って水平に受材を固定し、さらに、他方の前記第２壁に、補助材を前記受材と同一の水平レベルとなるように固定し、
次に、前記一方の第２壁に固定された受材および一対の第１壁に固定された受材に、天井材の縁部を係合し、
次に、前記受材に係合していない天井材の縁部に繋ぎ材を係合するとともに該繋ぎ材の両端部を前記一対の第１壁に固定された受材に支持させた後、この繋ぎ材に次の天井材の縁部を係合するとともに該天井材の他の縁部を前記一対の第１壁に固定された受材に係合する工程を所定回数繰り返し、
次に、前記他方の第２壁と、該第２壁側に位置する天井材の縁部との隙間に、調整材を該第２壁と天井材の縁部との双方に当接した状態で前記補助材に固定して設けることを特徴とする天井施工方法。
【請求項６】
請求項５記載の天井施工方法において、
前記受材と天井材との係合部には、天井材を水平方向において調整移動できるような隙間が設けられており、この隙間を利用して、天井材の水平方向の位置を調整することを特徴とする天井施工方法。
【請求項７】
請求項５または６記載の天井施工方法において、
前記一方の第２壁に固定された受材に、天井材の縁部を係合する際において、該天井材の縁部と前記一方の第２壁との間に、位置決め材を該天井材の縁部と該第２壁の双方に当接した状態で挿入することを特徴とする天井施工方法。
【請求項８】
請求項５から７のいずれかに記載の天井施工方法において、前記各天井材の下面には予め仕上加工が施されていることを特徴とする天井施工方法。
【発明の詳細な説明】
【０００１】
【発明の属する技術分野】
本発明は、建築物に設けられている天井に係わり、詳細には天井構造および天井施工方法に関する。
【０００２】
【背景の技術】
従来、建築物に設けられる天井の施工方法は、横渡材を梁等に固定し、該横渡材から吊木で野縁を吊り、該野縁に天井材を取り付けるという施工方法が知られている。そして意匠上、天井材と壁との境界部分には、該天井材の下面と壁との両方に当接するように廻縁が設けられていた。しかし、前記施工方法は緻密で熟練した技能を要求される現場合わせ作業が多く、極めて煩雑であり、さらに意匠上、前記廻縁を設けない施工方法も求められていた。そして近年、比較的容易に施工でき、しかも廻縁を必要としない底目地を確保する改良施工方法が生み出されてきた。
特開平２０００−１７９１４０号公報に記載の技術も改良施工方法の一つであり、格子状の野縁を現場作成した後、前記野縁から天井を吊るとともに、天井の外周部の前記野縁に底目地ジョイナーを取り付け、該底目地ジョイナーと天井材とを係合させる、という施工方法である。上記の施工方法によって、従来に比して、比較的容易に天井材を取り付けることができるとともに、廻縁を必要としない底目地を確保することができる。
【０００３】
【発明が解決しようとする課題】
しかし、上記公報に記載の技術においても、現場で格子状の野縁を作成し、さらに野縁を壁に固定するという作業が必要であり、施工が煩雑であった。また、仕上材を天井に貼設する作業が必要があり、目地部分での仕上材の収まり等から、大工業者と仕上業者との連動作業によらざるを得なかった。
本発明の課題は、天井材を取り付ける施工が容易で、廻縁を必要としない底目地が確保でき、さらに天井材取り付け後の仕上工事を省略することができる天井構造および天井施工方法を提供することである。
【０００４】
【課題を解決するための手段】
上記課題を解決すために、請求項１記載の発明は、例えば図１に示すように、対向して平行に配置された一対の第１壁２と、この第１壁と直交しかつ対向して平行に配置された一対の第２壁３とによって方形状に囲まれた部屋４の天井構造であって、
前記一対の第１壁２および一方の第２壁３（３ａ）には、これらに沿って水平に受材５が固定されており、他方の前記第２壁３（３ｂ）には、補助材８が前記受材５と同一の水平レベルとなるように固定されており、前記一対の第１壁２，２間には、天井材１が第２壁３，３間において複数連接された状態で配置されており、前記連接された複数の天井材１の縁部は前記受材５に係合されており、互いに隣接する天井材１間には繋ぎ材６が配置されるとともに、この繋ぎ材６には前記隣接する天井材１の縁部がそれぞれ係合されており、前記繋ぎ材６の両端部は、前記一対の第１壁２に固定された受材５に支持されており、他方の第２壁３（３ｂ）と、該第２壁３（３ｂ）側に位置する天井材１の縁部との隙間１０には、この天井材１の配置後に調整材７が該第２壁３（３ｂ）と天井材１の縁部との双方に当接した状態で前記補助材８に固定されて設けられていることを特徴としている。
【０００５】
請求項１記載の発明によれば、前記一対の第１壁２，２間には、天井材１料が第２壁３，３間において複数連接された状態で配置されている。そして、前記一対の第１壁２および一方の第２壁３（３ａ）には、これらに沿って水平に受材５が固定され、他方の第２壁３（３ｂ）には、これに沿って調整材７が固定されている。また、互いに隣接する天井材１間には繋ぎ材６が配置されるとともに、前記繋ぎ材６の両端部は、前記一対の第１壁２に固定された受材５に支持されている。そのため、工場生産された天井材１の縁部を前記受材５に係合させるとともに前記調整材７に当接させ、さらに、隣接する天井材１のそれぞれの縁部を前記繋ぎ材６に係合させることによって、安定的な天井を容易に取り付けることができる。したがって、施工性を大幅に向上させることができる。
なお、前記天井材１と、前記受材５や繋ぎ材６とを係合させるための係合部の形状は様々なバリエーションが考えられるが、例えば、天井材１の外周部には溝を有する雌実９を設置し、さらに、この雌実９に係合するように、Ｌ字型の受材５や、凸形の繋ぎ材６を設ければよい。
【０００６】
請求項２記載の発明は、請求項１記載の天井構造において、
前記受材５と天井材１との係合部には、天井材１を水平方向において調整移動できるような隙間１０が設けられていることを特徴としている。
【０００７】
請求項２記載の発明によれば、前記受材５と天井材１との係合部には、天井材１を水平方向において調整移動できるような隙間１０が設けられている。したがって、天井材１を前記受材５に係合させる際、前記隙間１０を利用して前記一対の第１壁２あるいは第２壁３のうち一方の壁側の受材５に天井材１の縁部を近接させることができ、それによって該天井材１を他方の壁側の受材５に容易に係合させたりしてはめ込むことができるので、施工性を向上させることができる。
また、請求項２記載の発明によれば、はめ込んだ天井材１を水平方向に調整移動することによって、該天井材１の位置を容易に微調整することができるので、精度良く施工を行うことができる。
【０００８】
請求項３記載の発明は、請求項１または２記載の天井構造において、
前記各天井材の下面には予め仕上加工が施されていることを特徴とする天井構造。
【０００９】
請求項３記載の発明によれば、前記各天井材１の下面には予め仕上加工が施されている。したがって、仕上材の貼設作業を省略することができ、施工性を向上させることができる。
【００１０】
請求項４記載の発明は、請求項１から３いずれかに記載の天井構造において、
前記天井材１の縁部における該天井材１の下面は、前記受材５および前記調整材７の下面より下方に位置していることを特徴としている。
【００１１】
請求項４記載の発明によれば、前記受材５および前記調整材７は、前記天井材１と壁との間との境界部分に設けられており、さらに前記天井材１の縁部は、前記受材５および前記調整材７に係合されている。さらに前記天井材１の縁部における該天井材１の下面は、前記受材５および前記調整材７の下面より下方に位置している。したがって、天井材１と壁との間の境界部分には、前記受材５および調整材７によって、廻縁を必要としない底目地が確保され、意匠上、すっきりした斬新な外観を呈することができる。
【００１２】
請求項５記載の発明は、対向して平行に配置された一対の第１壁２と、この第１壁と直交しかつ対向して平行に配置された一対の第２壁３とによって方形状に囲まれた部屋４の天井を施工する天井施工方法であって、前記一対の第１壁２および一方の第２壁３（３ａ）に、これらに沿って水平に受材５を固定し、さらに、他方の前記第２壁３（３ｂ）に、補助材８を前記受材５と同一の水平レベルとなるように固定し、次に、前記一方の第２壁３（３ａ）に固定された受材５および一対の第１壁２に固定された受材５に、天井材１の縁部を係合し、次に、前記受材５に係合していない天井材１の縁部に繋ぎ材６を係合するとともに該繋ぎ材６の両端部を前記一対の第１壁２に固定された受材５に支持させた後、この繋ぎ材６に次の天井材１の縁部を係合するとともに該天井材１の他の縁部を前記一対の第１壁２に固定された受材５に係合する工程を所定回数繰り返し、次に、前記他方の第２壁３（３ｂ）と、該第２壁３（３ｂ）側に位置する天井材１の縁部との隙間１０に、調整材７を該第２壁３（３ｂ）と天井材１の縁部との双方に当接した状態で前記補助材８に固定して設けることを特徴としている。
【００１３】
請求項５記載の発明によれば、まず、前記一対の第１壁２および一方の第２壁３（３ａ）に、これらに沿って水平に受材５を固定し、該受材５に天井材１の縁部を係合する。そして、前記受材５に係合していない天井材１の縁部に繋ぎ材６を係合するとともに該繋ぎ材６の両端部を前記一対の第１壁２に固定された受材５に支持させる。次に、この繋ぎ材６に次の天井材１の縁部を係合するとともに該天井材１の他の縁部を前記一対の第１壁２に固定された受材５に係合する工程を所定回繰り返す。さらに、前記他方の第２壁３（３ｂ）と、該第２壁３（３ｂ）側に位置する天井材１の縁部との隙間１０に、調整材７を第２壁３（３ｂ）と天井材１の縁部との双方に当接した状態で設けることによって、安定的な天井を容易に取り付けることができる。すなわち、壁に固定した前記受材５や前記繋ぎ材６と、工場生産された天井材１を係合させることによって、安定的な天井を容易に取り付けることができる。したがって、施工性を大幅に向上させることができる。
【００１４】
請求項６記載の発明は、請求項５記載の天井施工方法において、
前記受材５と天井材１との係合部には、天井材１を水平方向において調整移動できるような隙間１０が設けられており、この隙間１０を利用して、天井材１の水平方向の位置を調整することを特徴としている。
【００１５】
請求項６記載の発明によれば、前記受材５と天井材１との係合部には、天井材１を水平方向において調整移動できるような隙間１０が設けられている。したがって、天井材１を前記受材５に係合させる際、前記隙間１０を利用して前記一対の第１壁２あるいは第２壁３のうち一方の壁側の受材５に天井材１の縁部を近接させることができ、それによって該天井材１を他方の壁側の受材５に容易に係合させてはめ込むことができるので、施工性を向上させることができる。
また、請求項５記載の発明によれば、はめ込んだ天井材１を水平方向に調整移動することによって、該天井材１の位置を容易に微調整することができるので、精度良く施工を行うことができる。
【００１６】
請求項７記載の発明は、請求項５または６記載の天井施工方法において、
前記一方の第２壁３（３ａ）に固定された受材５に、天井材１の縁部を係合する際において、該天井材１の縁部と前記一方の第２壁３（３ａ）との間に、位置決め材１８を該天井材１の縁部と該第２壁３（３ａ）の双方に当接した状態で挿入することを特徴としている。
【００１７】
請求項７記載の発明によれば、位置決め材を天井材１の縁部と前記一方の第２壁３（３ａ）の双方に当接した状態で挿入することによって、前記一方の第２壁３（３ａ）側の底目地の大きさを決定することができる。また、これにより、天井材１の第１壁に沿う方向の位置を決定することができ、さらに前記他方の第２壁３（３ｂ）側の底目地を兼ねる調整材７の大きさを決定することができる。
【００１８】
請求項８記載の発明は、請求項５から７いずれかに記載の天井施工方法において、
前記各天井材１の下面には予め仕上加工が施されていることを特徴としている。
【００１９】
請求項８記載の発明によれば、前記各天井材１の下面に予め仕上加工が施されている。したがって、仕上材の貼設作業を省略することができ、施工性を向上させることができる。
【発明の実施の形態】
以下、本発明に係る天井構造の実施形態について詳細に説明する。
【００２０】
図１において、符号１は、４方を壁によって方形状に囲まれた部屋４に平面状に配設される天井材を示す。図１（ａ）は天井構造の平断面図であり、図１（ｂ）は側断面図である。図１（ａ）に示すように、４方の壁は、対向して平行に配置された一対の第１壁２と、この第１壁２と直交しかつ対向して平行に配置された一対の第２壁３とによって構成されている。
前記一対の第１壁２および一方の第２壁３（３ａ）には、これらに沿って水平に受材５が、配設される天井材１とほぼ同一の水平レベルとなるように、釘１２によって固定されている。また、他方の第２壁３（３ｂ）には補助材８が、前記受材５と同一の水平レベルとなるように釘１２によって固定されている。
また、天井材１には、その縁部上面に雌実９が設けられており、前記受材５に係合できるようになっている。さらに、天井材１の中央部上面には補強材１９が、該補強材１９の両端部が前記雌実９に当接するように設けられている。
そして、前記一対の第１壁２，２間には、前記天井材１が第２壁３，３間において２枚連接された状態で配置されており、天井材１の縁部は、前記雌実９によって、前記天井材１の下面が前記受材９の下面より下方に位置するように、前記受材５に係合されている。
また、互いに隣接する天井材１間には、繋ぎ材６が配置され、該繋ぎ材６の両端部は、前記一対の第１壁２に固定された受材５に、釘１２によって固定され支持されている。さらに前記繋ぎ材６には、前記隣接する天井材１の縁部上面に設けられている雌実９がそれぞれ係合されている。
また、他方の第２壁３（３ｂ）と、該第２壁３（３ｂ）側に位置する天井材１の縁部との隙間１０には、調整材７が該第２壁３（３ｂ）と天井材１の縁部との双方に当接した状態で、前記天井材１の下面が前記調整材７の下面より下方に位置するように、前記補助材８に両面テープ１３で固定されて設けられている。
また、図１（ａ）に示すように、前記天井材１の外周部上面に設けられている雌実９は、４箇所のコーナー部分１４には設けられていない構造となっている。
そして、天井材１１の下面には、仕上加工が施されており、仕上材である吸放湿ボード１１が貼設されている。さらに、天井材１の外周部下面１５は、面取り加工されており、隣接した天井材１の当接部１６においては、天井材１どうしが断面形状でＶ溝を形成する、Ｖ溝突付となっている。なお、天井材１の下面には、従来のように化粧石膏ボード等によって仕上加工が施されてもよいことは勿論である。
【００２１】
図２は、本発明の天井構造に用いられる受材５、繋ぎ材６等の詳細な形状を示す断面図である。
図２（ａ）は前記一対の第１壁２および一方の第２壁３（３ａ）に設けられる前記受材５の断面形状を示し、この受材５は、壁に固定するための固定部５ａと、天井材１の外周部上面に設けられた雌実９と係合して天井材を支持する支持部５ｂとでＬ字型の断面形状を形成している。そして前記支持部５ｂの下面は、Wh化粧仕上１７等の仕上加工がされている。なお、前記受材５は木製である。
また、図２（ｂ）は、前記繋ぎ材６の断面形状を示し、この繋ぎ材６は、両端部の突設した第１支持部６ａおよび第２支持部６ｂと中央部の固定部６ｃとから構成され、凸形の断面形状を形成している。ここで、第１支持部６ａとは、両端部の突設した支持部のうち、突設長さが長い支持部であり、第２支持部６ｂとは、突設長さが短い支持部である。また、図３（ｃ）に示すように、前記固定部６ｃは、前記第１支持部６ａおよび第２支持部６ｂより軸方向に長い構造となっており、前記固定部６ｃから釘１２を打ち込んで、前記受材５に固定できるようになっている。なお、前記繋ぎ材６は木製である。
次に、図２（ｃ）は、前記調整材７の断面形状を示し、この調整材７は、固定部７ｂとストッパー部７ｂから構成され、矩形の固定部７ｂに突起状のストッパー部７ｂが付加された形状を形成している。そして前記固定部７ｃの下面は、Wh化粧仕上１７等の仕上加工がされている。なお、前記調整材７は木製である。
次に、図２（ｄ）は、前記他方の第２壁３（３ｂ）に設けられる補助材８の断面形状を示し、この補助材８は、矩形の角材である。なお、前記補助材８は木製である。
さらに、図２（ｅ）は雌実９の断面形状を示し、この雌実９は、前記受材５に支持されるための受部９ａと前記天井材１に設置するための設置部９ｂ、および受部と設置部の中間の中間部９ｃとから構成され、前記受部９ａと前記設置部９ｂおよび前記中間部９ｃとで、溝を有する断面形状を形成している。なお、前記雌実９は木製である。
【００２２】
図３は、天井材１と前記受材５や前記繋ぎ材６との係合部を示す。
図３（ａ）は、天井材１と前記一方の第２壁３（３ａ）に設けられた受材５との係合部を示す断面図である。前記受材５が前記一方の第２壁３（３ａ）に、その固定部５ａを釘１２によって固定されている。また係合部は、前記受材５の支持部５ｂと前記雌実９の受部９ａとが係合する長さを調整して天井材１を支持することができる構造、すなわち隙間１０が形成できる構造となっている。さらに天井材１は受材９に、前記天井材１の下面が前記受材９の下面より下方に位置するように係合されている。
なお、受材５は前記一対の第１壁２にも配置されているので、図３（ａ）は、前記第１壁２と天井材１との係合部を示す図でもある。
次に図３（ｂ）は、互いに隣接する天井材１の外周部上面にそれぞれ設けられている前記雌実９と、前記繋ぎ材６とのそれぞれの係合部を示す断面図である。前記一方の第２壁３（３ａ）側の天井材１の外周部上面に設けられている雌実９には、前記繋ぎ材６の突設長さが長い第１支持部６ａが係合している。また、前記他方の第２壁３（３ｂ）側の天井材１の外周部上面に設けられている雌実９には、前記繋ぎ材６の突設長さが短い前記第２支持部６ｂが係合している。さらに、前記繋ぎ材６はその固定部６ｃを、前記一方の第２壁３（３ａ）側の天井材１の外周部上面に設けられている雌実９に、釘１２によって固定されている。なお、前記固定作業は、施工状況により、木ネジ、接着剤、両面テープ１３などによって行ってもよい。
さらに図３（ｃ）は、前記繋ぎ材６と、前記一対の第１壁２に設置された受材５との接合部を示す。前記固定部６ｃは、前記第１支持部６ａおよび第２支持部６ｂより軸方向に長い構造となっている。前記繋ぎ材６は、該繋ぎ材６の両端部の前記固定部６ｃから釘１２を打ち込んで、前記受材５に固定されている。なお、上記固定作業は、施工状況により接着剤、木ネジ、両面テープ１３などによって行ってもよい。
【００２３】
図４は、４方を壁によって方形状に囲まれた部屋に、天井材１を平面状に配設する一連の工程を示す。
まず、図４（ａ）に示すように、前記受材５を前記一対の第１壁２および前記一方の第２壁３（３ａ）に、配設される天井材１とほぼ同一の水平レベルとなるように、該受材５の固定部５ａから釘１２を打ち込んで固定する。さらに、補助材８を前記他方の第２壁３（３ｂ）に、前記受材５と同一の水平レベルとなるように、釘１２により固定する。なお、上記２つの固定作業は、施工状況により、木ネジ、接着剤、両面テープ１３などによって行ってもよい。
次に、位置決め材１８を、前記受材５と前記一方の第２壁３（３ａ）の双方に当接するように両面テープ１３等で仮固定する。前記固定作業は、後工程で撤去できるような固定方法により行う。なお、前記位置決め材１８は、木製あるいは発砲スチロール製である。
【００２４】
次に、図４（ｂ）に示すように、仕上材である吸放湿ボード１１が貼設されている１枚目の天井材１を、該天井材１の縁部上面に設けられている前記雌実９の受部９ａが、前記一対の第１壁２と前記一方の第２壁３（３ａ）に固定された前記受材５の支持部５ｂに係合するようにはめ込む。この際、前記天井材１の下面が前記受材９の下面の下方に位置するようにし、さらに、前記天井材１の端部が、前記位置決め材１８に当接するようにする。
次に前記繋ぎ材６を、その第１支持部６ａが、天井材１の縁部上面に設けられている雌実９のうち前記受材５に係合していない雌実９の受部９ｂに係合するようにはめ込む。
【００２５】
次に、図４（ｃ）に示すように、前記雌実９に係合させた前記繋ぎ材６を前記雌実９に、該繋ぎ材６の固定部６ｃから釘１２を打ち込んで固定する。さらに、前記繋ぎ材６を、前記一対の第１壁２に固定された前記受材５に、該繋ぎ材６の軸方向の両端部における固定部６ｃから釘１２を打ち込んで固定する。なお、上記固定作業は、施工状況により接着剤、木ネジ、両面テープ１３などによって行ってもよい。前記繋ぎ材６の固定作業の後、天井材１の縁部と前記一方の第２壁３（３ａ）の双方に当接するように仮設置されていた位置決め材１８を撤去する。
次に、２枚目の天井材１を、該天井材１の外周部上面に設けられている前記雌実９の受部９ａが、前記繋ぎ材６の突設長さが短い第２支持部６ｂに係合し、かつ前記一対の第１壁２に固定された前記受材５の支持部５ｂに係合するようにはめ込む。
【００２６】
次に、図４（ｄ）に示すように、前記２枚目の天井材１の端部が、前記１枚目の天井材１の端部に当接するようにした後、前記２枚目の天井材１と前記他方の第２壁３（３ｂ）との距離を測定して、前記調整材７のストッパー部７ｂの大きさを決定する。そして、ストッパー部７ｂの大きさが決定された前記調整材７の固定部７ｂの上面に両面テープ１３を貼付する。次に、前記調整材７を、前記他方の第２壁３（３ｂ）に設置した前記補助材８に、前記他方の第２壁３（３ｂ）と前記２枚目の天井材１の縁部の双方に当接し、前記両面テープ１３により固定する。この際、前記天井材１の下面が前記調整材７の下面より下方に位置するようにする。なお、上記貼付作業は、施工状況により接着剤、釘１２、木ネジ等によって行ってもよい。
さらに、天井材１の外周部下面１５は面取り加工されており、隣接した天井材１の当接部１６においては、天井材１どうしが断面形状でＶ溝を形成する、Ｖ溝突付されている。
【００２７】
本実施の形態によれば、以下のような効果を得ることができる。
〔１〕前記一対の第１壁２，２間には、天井材１料が第２壁３，３間において２枚連接された状態で配置されている。そして、前記一対の第１壁２および一方の第２壁３（３ａ）には、これらに沿って水平に受材５が固定され、他方の第２壁３（３ｂ）には、これに沿って調整材７が固定されている。また、互いに隣接する天井材１間には繋ぎ材６が配置されるとともに、前記繋ぎ材６の両端部は、前記一対の第１壁２に固定された受材５に支持されている。そのため、工場生産された天井材１の縁部を前記受材５に係合させるとともに前記調整材７に当接させ、さらに、隣接する天井材１のそれぞれの縁部を前記繋ぎ材６に係合させることによって、安定的な天井を容易に取り付けることができる。したがって、施工性を大幅に向上させることができる。
【００２８】
〔２〕前記受材５および前記調整材７は、前記天井材１と壁との境目部分に設置され、底目地としての機能も果たすことができる。したがって、前記受材５および前記調整材７を設置して天井材１を取り付けることによって、底目地をも確保することができる。
【００２９】
〔３〕前記受材５と天井材１との係合部には、天井材１を水平方向において調整移動できるような隙間１０が設けられている。したがって、天井材１を前記受材５に係合させる際、前記隙間１０を利用して前記一対の第１壁２あるいは第２壁３のうち一方の壁側の受材５に天井材１の縁部を近接させることができ、それによって該天井材１を他方の壁側の受材５に容易に係合させたりしてはめ込むことができるので、施工性を向上させることができる。
また、はめ込んだ天井材１を水平方向に調整移動することによって、該天井材１の位置を容易に微調整することができるので、精度良く施工を行うことができる。
【００３０】
〔４〕前記各天井材１の下面には予め仕上加工が施されており、仕上材である吸放湿ボード１１が設けられている。したがって、仕上材の貼設作業を省略することができ、施工性を向上させることができるとともに、吸放湿ボード１１の機能により、天井材１に部屋の湿気を除去する性能を付加することができる。
【００３１】
〔５〕前記受材５および前記調整材７は、前記天井材１と壁との間との境界部分に設けられており、さらに前記天井材１の縁部は、前記受材５および前記調整材７に係合されている。さらに前記天井材１の縁部における該天井材１の下面は、前記受材５および前記調整材７の下面より下方に位置している。したがって、天井材１と壁との間の境界部分には、前記受材５および調整材７によって、廻縁を必要としない底目地が確保され、意匠上、すっきりした斬新な外観を呈することができる。
【００３２】
〔６〕位置決め材１８を天井材１の縁部と前記一方の第２壁３（３ａ）の双方に当接した状態で挿入することによって、前記一方の第２壁３（３ａ）側の底目地の大きさを決定することができる。また、これにより、天井材１の第１壁に沿う方向の位置を決定することができ、さらに前記他方の第２壁３（３ｂ）側の底目地を兼ねる調整材７の大きさを決定することができる。
【００３３】
〔７〕前記繋ぎ材６が突設長さが長い第１支持部６ａと突設長さが短い第２支持部６ｂとを有している。このため、２枚の隣接する天井材１の、互いに当接する状態となるそれぞれの天井材１の雌実９のうち、１枚目の天井材１の雌実９と、前記繋ぎ材６の突設長さが長い第１支持部６ａとを係合させることによって、２枚目の天井材１の雌実９と、前記繋ぎ材６の突設長さが短い第２支持部６ｂとが係合されることとなる。したがって、第１壁２に沿う方向に調整移動するスペースが比較的少ない２枚目の天井材１の、該天井材１の外周部上面に設けられている雌実９と、前記繋ぎ材６とを係合させる作業を容易に行うことができる。
【００３４】
〔８〕前記繋ぎ材６が、１枚目の天井材１の外周部上面に設けられている雌実９に、該繋ぎ材６の固定部６ｃから釘１２を打ち込んで固定されている。また、前記繋ぎ材６が、前記一対の第１壁２に固定された前記受材５に、該繋ぎ材６の軸方向の両端部における固定部６ｃから釘１２を打ち込んで固定されている。そして、上記２つの固定作業を行うことによって、前記１枚目の天井材１が動かないようにすることができ、したがって前記２枚目の天井材１を、前記受材５と係合させて配置する作業を容易に行うことができる。
【００３５】
〔９〕前記他方の第２壁３（３ｂ）には、前記補助材８が設けられている。このため、前記調整材７を前記補助材８の下面に、両面テープ１３で固定して設けることができる。
【００３６】
〔１０〕図１（ａ）に示すように、前記天井材１の外周部上面に設けられている前記雌実９は、４箇所のコーナー部分１４には設けられていない構造となっている。このため、前記天井材１の外周部上面に設けられている雌実９と、前記一対の第１壁２および前記一方の第２壁３（３ａ）に設置された受材５とを、互いに触突することなく係合させることができる。
【００３７】
なお、本実施の形態においては、第２壁３，３間において２枚の天井材１が連接して配置され、隣接部には１つの繋ぎ材６が用いられている。第２壁３，３間に３枚以上の天井材１を配置する場合には、それによって生じる２つ以上の隣接部にそれぞれ前記繋ぎ材６を配設することによって、配置すればよい。
【００３８】
【発明の効果】
請求項１記載の発明によれば、工場生産された天井材の縁部を前記受材に係合させるとともに前記調整材に当接させ、さらに、隣接する天井材のそれぞれの縁部を前記繋ぎ材に係合させることによって、安定的な天井を容易に取り付けることができる。したがって、施工性を大幅に向上させることができる。
また、請求項１記載の発明によれば、前記受材および前記調整材は、底目地としての機能も果たすことができるので、前記受材および前記調整材を設置して天井材を取り付けることによって、底目地をも確保することができる。
【００３９】
請求項２記載の発明によれば、請求項１記載の発明と同様の効果が得られることは勿論のこと、前記隙間を利用することによって、壁に固定された受材に容易に係合させたりしてはめ込むことができるので、施工性を向上させることができる。
また、請求項２記載の発明によれば、前記隙間を利用することによって、天井材の位置を容易に微調整することができるので、精度良く施工を行うことができる。
【００４０】
請求項３記載の発明によれば、請求項１または２いずれかに記載の発明と同様の効果が得られることは勿論のこと、前記各天井材の下面には予め仕上加工が施されている。したがって、仕上材の貼設作業を省略することができ、施工性を向上させることができる。
【００４１】
請求項４記載の発明によれば、天井材１と壁との間の境界部分には、前記受材および調整材によって、廻縁を必要としない底目地が確保され、意匠上、すっきりした斬新な外観を呈することができる。
【００４２】
請求項５記載の発明によれば、壁に前記受材を固定し、該受材や前記繋ぎ材と、工場生産された天井材を係合させることによって、安定的な天井を容易に取り付けることができる。したがって、施工性を大幅に向上させることができる。
【００４３】
請求項６記載の発明によれば、請求項５記載の発明と同様の効果が得られることは勿論のこと、前記隙間を利用することによって、壁に固定された受材に容易に係合させたりしてはめ込むことができるので、施工性を向上させることができる。
また、請求項６記載の発明によれば、前記隙間を利用することによって、天井材の位置を容易に微調整することができるので、精度良く施工を行うことができる。
【００４４】
請求項７記載の発明によれば、請求項５または６に記載の発明と同様の効果が得られることは勿論のこと、位置決め材を天井材の縁部と第２壁の双方に当接した状態で挿入することによって、前記一方の第２壁側の底目地の大きさを決定することができる。また、これにより、天井材の第１壁に沿う方向の位置を決定することができ、さらに前記他方の第２壁側の底目地を兼ねる調整材の大きさを決定することができる。
【００４５】
請求項８記載の発明によれば、請求項５から７いずれかに記載の発明と同様の効果が得られることは勿論のこと、前記各天井材の下面に予め仕上加工が施されている。したがって、仕上材の貼設作業を省略することができ、施工性を向上させることができる。
【図面の簡単な説明】
【図１】本発明の天井構造の一例を示すもので、（ａ）は天井構造の平断面図、（ｂ）は側断面図である。
【図２】本発明の天井構造を構成する部材を示すもので、（ａ）は受材、（ｂ）は繋ぎ材、（ｃ）は調整材、（ｄ）は補助材、（ｅ）は雌実のそれぞれの形状を示す断面図である。
【図３】本発明の天井構造の要部を示すものであり、（ａ）は天井材と受材との係合部を示す断面図、（ｂ）は天井材と繋ぎ材との係合部を示す断面図、（ｃ）は繋ぎ材と受材との係合部を示す斜視図である。
【図４】本発明の天井施工方法の工程を示す側断面図である。
【符号の説明】
１    天井材
２    第１壁
３    第２壁
３ａ  一方の第２壁
３ｂ  他方の第２壁
４    部屋
５    受材
６    繋ぎ材
７    調整材
１０  隙間
１８  位置決め材
【図１】
0004456263.tif 000002
【図２】
0004456263.tif 000003
【図３】
0004456263.tif 000004
【図４】
0004456263.tif 000005